(57)【要約】【課題】  引保持操作を容易かつ適正に行えるようにする。【解決手段】  各機器１００に対して設けられ該機器１００を、起動させる起動モードと、停止させる停止モードと、外部電源が復旧すると自動的に起動させる自動モードと、外部電源が復旧しても外部からの指令がない限り起動しないようにする引保持モードを含む、各モードに切り替える操作スイッチ２と、各機器１００の操作スイッチ２の現在のモードを一括して画面に表示するとともに、一括スイッチ３１を画面に表示する表示部３と、一括スイッチ３１がオンされた場合に、自動モードであるすべての機器１００の操作スイッチ２を引保持モードに切り替える一括切替部５と、を備える。【選択図】  図２
2016100939.tif 000002
【特許請求の範囲】
【請求項１】
発電所において外部電源の喪失が発生した場合に、各機器に対して、外部からの指令がない限り起動しないように引保持操作するための、発電所設備の操作装置であって、
前記各機器に対して設けられ該機器を、起動させる起動モードと、停止させる停止モードと、外部電源が復旧すると自動的に起動させる自動モードと、外部電源が復旧しても外部からの指令がない限り起動しないようにする引保持モードを含む、各モードに切り替えるモード切替手段と、
前記各機器の前記モード切替手段の現在のモードを一括して画面に表示するとともに、一括スイッチを画面に表示する表示手段と、
前記一括スイッチがオンされた場合に、自動モードであるすべての前記機器の前記モード切替手段を引保持モードに切り替える一括切替手段と、
を備えることを特徴とする発電所設備の操作装置。
【請求項２】
前記一括切替手段は、起動中である前記機器に対しては、引保持モードへの切り替えを行わない、
ことを特徴とする請求項１に記載の発電所設備の操作装置。
【請求項３】
発電所において外部電源の喪失が発生した場合に、各機器に対して、外部からの指令がない限り起動しないように引保持操作するための、発電所設備の操作プログラムであって、コンピュータを、
前記各機器に対して設けられ該機器を、起動させる起動モードと、停止させる停止モードと、外部電源が復旧すると自動的に起動させる自動モードと、外部電源が復旧しても外部からの指令がない限り起動しないようにする引保持モードを含む、各モードに切り替えるモード切替手段と、
前記各機器の前記モード切替手段の現在のモードを一括して画面に表示するとともに、一括スイッチを画面に表示する表示手段と、
前記一括スイッチがオンされた場合に、自動モードであるすべての前記機器の前記モード切替手段を引保持モードに切り替える一括切替手段、
として機能させることを特徴とする発電所設備の操作プログラム。
【請求項４】
前記一括切替手段は、起動中である前記機器に対しては、引保持モードへの切り替えを行わない、
ことを特徴とする請求項３に記載の発電所設備の操作プログラム。
【発明の詳細な説明】
【技術分野】
【０００１】
この発明は、発電所において外部電源を喪失した場合に、各種ポンプなどの設備・機器を操作するための、発電所設備の操作装置および操作プログラムに関する。
【背景技術】
【０００２】
例えば、原子力発電所において、送電線事故などによって外部電源の喪失が発生した場合、給復水系統や循環水系統あるいは補機冷却水系統などの機器が停止し、各系統の各機器のスイッチが自動モードになる。このため、その後、外部電源が復旧すると、停止していた給復水系統や循環水系統などの機器が、制御信号の状態によっては一斉に予期せずに自動起動してしまうおそれがある。このような自動起動を防止するために、各系統の機器に対するスイッチの引保持操作が実施されている。
【０００３】
この引保持操作は、外部からの指令・動作がない限り起動しないように、機器のスイッチを引保持モードに切り替えるものである。そして、従来、機器操作用のディスプレイ（ＣＲＴ）画面を系統ごとに切り替えながら、系統図上で対象となる機器を選択して引保持モードに切り替える、という操作をすべての系統のすべての機器に対して行っていた。
【０００４】
一方、電力系統に事故が発生した場合に、運転者が復旧する際に運転者に復旧操作ガイダンスを与える技術が知られている（例えば、特許文献１参照。）。この技術は、順次、現在の系統状態と当面の目標の系統とを比較して、操作可能な設備を選択して提示するものである。
【先行技術文献】
【特許文献】
【０００５】
【特許文献１】特公平０５−０６８１７１号公報
【発明の概要】
【発明が解決しようとする課題】
【０００６】
ところで、原子力発電所には多数の系統があり、多くの系統のすべての機器に対して引保持操作を行わなければならない。しかも、系統ごとに画面を切り替えながら各機器・補機に対して操作しなければならないため、操作が煩雑で、多大な時間と労力とを要する。例えば、すべての機器に対して引保持操作を行うのに、１３もの画面を切り替えながら操作する必要があった。
【０００７】
また、多くの画面を切り替えながら、対象となるすべての機器に対して引保持操作を行わなければならないため、引保持操作を要する機器を見落としてしまうおそれがあった。さらに、引保持操作を行ったことの確認も、多くの画面を切り替えながら行わなければならないため、運転員に対する負担が大きく、多大な時間と労力とを要するばかりでなく、操作ミスを誘発するおそれがあった。
【０００８】
そこでこの発明は、引保持操作を容易かつ適正に行うことを可能にする、発電所設備の操作装置および操作プログラムを提供することを目的とする。
【課題を解決するための手段】
【０００９】
上記課題を解決するために、請求項１の発明は、発電所において外部電源の喪失が発生した場合に、各機器に対して、外部からの指令がない限り起動しないように引保持操作するための、発電所設備の操作装置であって、前記各機器に対して設けられ該機器を、起動させる起動モードと、停止させる停止モードと、外部電源が復旧すると自動的に起動させる自動モードと、外部電源が復旧しても外部からの指令がない限り起動しないようにする引保持モードを含む、各モードに切り替えるモード切替手段と、前記各機器の前記モード切替手段の現在のモードを一括して画面に表示するとともに、一括スイッチを画面に表示する表示手段と、前記一括スイッチがオンされた場合に、自動モードであるすべての前記機器の前記モード切替手段を引保持モードに切り替える一括切替手段と、を備えることを特徴とする。
【００１０】
この発明によれば、表示手段によって、各機器のモード切替手段の現在のモードが一括して画面に表示されるとともに、一括スイッチが画面に表示される。そして、一括スイッチをオンすると一括切替手段によって、自動モードであるすべての機器のモード切替手段が引保持モードに切り替えられる。
【００１１】
請求項２の発明は、請求項１に記載の操作装置において、前記一括切替手段は、起動中である前記機器に対しては、引保持モードへの切り替えを行わない、ことを特徴とする。
【００１２】
請求項３の発明は、発電所において外部電源の喪失が発生した場合に、各機器に対して、外部からの指令がない限り起動しないように引保持操作するための、発電所設備の操作プログラムであって、コンピュータを、前記各機器に対して設けられ該機器を、起動させる起動モードと、停止させる停止モードと、外部電源が復旧すると自動的に起動させる自動モードと、外部電源が復旧しても外部からの指令がない限り起動しないようにする引保持モードを含む、各モードに切り替えるモード切替手段と、前記各機器の前記モード切替手段の現在のモードを一括して画面に表示するとともに、一括スイッチを画面に表示する表示手段と、前記一括スイッチがオンされた場合に、自動モードであるすべての前記機器の前記モード切替手段を引保持モードに切り替える一括切替手段、として機能させることを特徴とする。
【００１３】
請求項４の発明は、請求項３に記載の操作プログラムにおいて、前記一括切替手段は、起動中である前記機器に対しては、引保持モードへの切り替えを行わない、ことを特徴とする。
【発明の効果】
【００１４】
請求項１および請求項３の発明によれば、一括スイッチをオンするだけで、自動モードであるすべての機器のモード切替手段を引保持モードに切り替えることができるため、多くの機器に対しても容易、迅速かつ適正に（漏れなく）引保持操作を行うことが可能となる。また、各機器のモード切替手段の現在のモードが一括して（まとめて）画面に表示されるため、各機器の現在のモード・状態の確認や、引保持操作を行ったことの確認などを、容易、迅速かつ的確に行うことが可能となる。
【００１５】
このように、引保持操作を迅速に行える結果、発電所の停電対応に対して人員と時間とをより集中的に投入することができ、外部電源の喪失という発電所の非常事態における安全性・信頼性を向上させることが可能となる。同様に、引保持操作を迅速に行える結果、外部電源の復旧の目処が立った時点で速やかに、外部電源の復電の準備を整えることが可能となる。そして、外部電源の復電を速やかに行えることで、外部電源の喪失によって停電した常用の照明や空調などを起動させることができ、発電所におけるトラブル対応の環境を改善することが可能となる。
【００１６】
請求項２および請求項４の発明によれば、起動中の機器に対しては、一括切替手段による引保持モードへの切り替えが行われないため、起動中・運転中の機器を誤って停止させることがなく、引保持操作をより適正に行うことができる。
【図面の簡単な説明】
【００１７】
【図１】この発明の実施の形態に係る発電所設備の操作装置を示す概略構成ブロック図である。
【図２】図１の操作装置による引保持操作の動作ロジックを示す図である。
【図３】図１の操作装置において、外部電源喪失後の機器停止状態における引保持操作画面を示す図である。
【図４】図３の引保持操作画面の続きである別の画面を示す図である。
【図５】図３の状態から一括スイッチをオンした後の引保持操作画面を示す図である。
【図６】図３の状態から一括スイッチをオンした後の別の引保持操作画面を示す図である。
【図７】この発明の実施の形態において、外部電源が喪失した場合の対応を示すフローチャートである。
【発明を実施するための形態】
【００１８】
以下、この発明を図示の実施の形態に基づいて説明する。
【００１９】
図１〜図７は、この発明の実施の形態を示し、図１は、この実施の形態に係る発電所設備の操作装置（以下、「操作装置」という）１を示す概略構成ブロック図である。この操作装置１は、発電所において外部電源（商用電源）の喪失が発生した場合に、各機器（補機）１００に対して、外部電源が復旧しても外部からの指令がない限り起動しないように引保持操作するための装置であり、この実施の形態では、発電所が原子力発電所の場合について、主として説明する。また、各機器１００には、給復水系統や循環水系統あるいは補機冷却水系統などの各系統における、各種ポンプや各種ファン、各種バルブなどが含まれ、後述する図３〜図６における「ＭＤ  ＲＦＰ（Ａ）」や「制御油ポンプＡ」などが機器１００の識別情報・名称となっている。
【００２０】
この操作装置１は、主として、操作スイッチ（モード切替手段）２と、表示部（表示手段）３と、入力部４と、一括切替部（一括切替手段）５と、制御部６と、これらを制御などする中央処理部７と、を備えている。
【００２１】
操作スイッチ２は、各機器１００に対して（機器１００の識別情報ごとに）設けられ、該機器１００を、起動させる起動モードと、停止させる停止モードと、外部電源が復旧すると自動的に起動させる自動モードと、外部電源が復旧しても外部からの指令がない限り起動しないようにする引保持モードを含む、各モードに切り替える制御スイッチ（ＣＳ）である。すなわち、図２に示すように、機器１００ごとに（図では、機器１００が「Ａ−ＭＤ  ＲＦＰ」の場合を示す。）設けられたスイッチであり、起動モード、停止モード、自動モードおよび引保持モードの４つのモードに切り替えられるようになっている。
【００２２】
この操作スイッチ２の切り替えは、主として、操作装置１とは別の外部の装置・システム、例えば、原子力発電所を運用する運用システム・コンピュータによって行われる。例えば、外部電源の喪失が発生した場合、各機器１００の操作スイッチ２が自動モードに切り替えられる。また、引保持モードを有さない機器１００、つまり、引保持操作を行わない機器１００もあり、このような機器１００に対しては、後述するように、自動モードに代わって通常モード（機器１００を制御しないニュートラルな状態、現状のままの状態）に切り替えられる。
【００２３】
そして、このような操作スイッチ２に従って、制御部６によって各機器１００が制御されるようになっている。すなわち、例えば、「Ａ−ＭＤ  ＲＦＰ」の操作スイッチ２が起動モードに切り替えられると、制御部６によって「Ａ−ＭＤ  ＲＦＰ」が起動され、操作スイッチ２が停止モードに切り替えられると、制御部６によって「Ａ−ＭＤ  ＲＦＰ」が停止される。同様に、操作スイッチ２が自動モードに切り替えられると、外部電源が喪失状態から復旧した場合に、制御部６によって「Ａ−ＭＤ  ＲＦＰ」が制御信号の状態によっては自動的・即座に起動されるおそれがある。また、操作スイッチ２が引保持モードに切り替えられると、外部電源が復旧しても制御部６によっては「Ａ−ＭＤ  ＲＦＰ」が自動起動されず、外部からの指令が入力された後に（例えば、後述する入力部４で操作スイッチ２が起動モードに切り替えられた後に）、「Ａ−ＭＤ  ＲＦＰ」が起動されるものである。
【００２４】
表示部３は、各種情報やデータを表示するディスプレイであり、後述する入力部４で引保持操作画面が指定されると、各機器１００の操作スイッチ２の現在のモードを一括して画面に表示するとともに、一括スイッチ３１を画面に表示する。すなわち、例えば、図３、図４に示すように、機器１００の識別情報１００ａと、この機器１００の操作スイッチ２の現在のモード１００ｂのみを、すべての機器１００に対して表示し、この際、１つの画面にできるだけ多くの機器１００を一括して（まとめて）表示する。この実施の形態では、２つの画面にわたって、全機器１００の識別情報１００ａとモード１００ｂとを表示するようになっている。また、このような全機器１００の情報とともに、一括スイッチ３１を各画面に表示するものである。
【００２５】
ここで、このような表示部３への表示は、中央処理部７によって行われるようになっている。すなわち、中央処理部７が、すべての機器１００の識別情報１００ａと現在モード１００ｂとを、各操作スイッチ２から検索、取得し、取得したすべての識別情報１００ａと現在モード１００ｂとを表示部３に伝送して、一括表示させるものである。
【００２６】
入力部４は、各種情報や指令などを入力するためのインターフェイスであり、例えば、上記のような引保持操作画面を表示部３に表示するための指令を入力したり、一括スイッチ３１をオンしたり、各操作スイッチ２のモードを切り替える指令を入力したりするものである。
【００２７】
一括切替部５は、一括スイッチ３１がオンされた場合に、自動モードであるすべての機器１００の操作スイッチ２を引保持モードに切り替えるものである。すなわち、外部電源が喪失して機器１００が停止した状態において、上記のような引保持操作画面を表示部３に表示して、一括スイッチ３１がオンされると起動される。そして、図２に示すように、自動モードであるすべての機器１００の操作スイッチ２を、強制的に引保持モードに切り替えるものである。これにより、図５、図６に示すように、引保持操作画面において、自動モードであった機器１００が引保持モードに切り替わる。
【００２８】
ただし、起動中である機器１００に対しては、引保持モードへの切り替えを行わないようになっている。すなわち、図２に示すように、各機器１００の実際の稼働状況（起動中か停止中か）が一括切替部５に入力され、自動モードであっても起動中である機器１００に対しては、引保持モードに切り替えない。このように、一括スイッチ３１がオンされた場合に、操作スイッチ２が自動モードであり、かつ、実際に停止中である機器１００に対して、引保持モードに切り替えるものである。
【００２９】
例えば、「ＴＣＷ（Ａ）」が起動中である場合、図５に示すように、「ＴＣＷ（Ａ）」に対しては引保持モードに切り替えずに、自動モードのままとなる。ただし、その後、「ＴＣＷ（Ａ）」が停止して、再度一括切替部５が起動された場合には、図６に示すように、「ＴＣＷ（Ａ）」も引保持モードに切り替えられる。
【００３０】
また、引保持モードを有さない機器１００に対しては、外部電源の喪失が発生した場合、運用システム等によって操作スイッチ２が通常モードに切り替えられ、このような機器１００に対して一括切替部５は、操作スイッチ２を停止モードに切り替える。例えば、図３に示すように、「ＣＳＷ（Ａ）」が通常モードの場合、図６に示すように、「ＣＳＷ（Ａ）」の操作スイッチ２を停止（切）モードに切り替える。
【００３１】
次に、このような構成の操作装置１の作用および、外部電源が喪失した場合の対応などについて、図７に基づいて説明する。
【００３２】
送電線事故などによって外部電源の喪失が発生した場合（ステップＳ１）、まず、原子炉のスクラム対応を行う（ステップＳ２）。一方、運用システム等によって、各操作スイッチ２が自動モードまたは通常モードに切り替えられる。次に、全系統の機器１００に対して引保持操作を実施する（ステップＳ３）。すなわち、入力部４から所定の指令を入力して表示部３に引保持操作画面を表示させると、図３、図４に示すように、各機器１００の操作スイッチ２の現在のモードが一括して画面に表示される。つまり、多数の機器１００の識別情報１００ａとモード１００ｂとが、１つの画面にまとめて表示される。
【００３３】
続いて、この引保持操作画面を見て、各機器１００の操作スイッチ２の状態を確認し、入力部４で一括スイッチ３１をオンすると、一括切替部５が起動される。そして、図５、図６に示すように、自動モードであるすべての機器１００の操作スイッチ２が引保持モードに切り替えられる。この際、上記のように、起動中である機器１００に対しては、引保持モードへの切り替えは行われず、また、引保持モードを有さない通常モードの機器１００は、停止モードに切り替えられる。
【００３４】
次に、外部電源が復電すると（ステップＳ４）、各機器１００を起動する（ステップＳ５）。例えば、起動を要する機器１００の操作スイッチ２を、入力部４で起動モードに切り替えることで、制御部６によって機器１００が起動制御されるものである。
【００３５】
以上のように、この操作装置１によれば、一括スイッチ３１をオンするだけで、自動モードであるすべての機器１００の操作スイッチ２を引保持モードに切り替えることができるため、多くの機器１００に対しても容易、迅速かつ適正に（漏れなく）引保持操作を行うことが可能となる。また、各機器１００の操作スイッチ２の現在のモードが一括して（まとめて）画面に表示されるため、各機器１００の現在のモード・状態の確認や、引保持操作を行ったことの確認などを、容易、迅速かつ的確に行うことが可能となる。
【００３６】
このように、引保持操作を迅速に行える結果、原子力発電所の停電対応に対して人員と時間とをより集中的に投入することができ、外部電源の喪失という原子力発電所の非常事態における安全性・信頼性を向上させることが可能となる。同様に、引保持操作を迅速に行える結果、外部電源の復旧の目処が立った時点で速やかに、外部電源の復電の準備を整えることが可能となる。そして、外部電源の復電を速やかに行えることで、外部電源の喪失によって停電した常用の照明や空調などを起動させることができ、原子力発電所におけるトラブル対応の環境を改善することが可能となる。
【００３７】
一方、起動中の機器１００に対しては、一括切替部５による引保持モードへの切り替えが行われないため、起動中・運転中の機器１００を誤って停止させることがなく、引保持操作をより適正に行うことができる。
【００３８】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、操作装置１に制御部６を備えているが、操作装置１とは別の装置・システムに制御部６を備えてもよい。また、各機器１００の稼働状況が一括切替部５に直接入力されることで、機器１００が起動中か否かを一括切替部５で判定・知得できるようになっているが、その他の手法によるものであってもよい。例えば、各機器１００の稼働状況を監視・管理するコンピュータやメモリなどを設け、このコンピュータなどから稼働状況を取得するようにしてもよい。
【００３９】
一方、次のような発電所設備の操作プログラムを汎用コンピュータにインストールすることで、上記のような操作装置１を構成してもよい。すなわち、コンピュータを、
【００４０】
各機器１００に対して設けられ該機器１００を、起動させる起動モードと、停止させる停止モードと、外部電源が復旧すると自動的に起動させる自動モードと、外部電源が復旧しても外部からの指令がない限り起動しないようにする引保持モードを含む、各モードに切り替える操作スイッチ（モード切替手段）２と、
【００４１】
各機器１００の操作スイッチ２の現在のモードを一括して画面に表示するとともに、一括スイッチ３１を画面に表示する表示部（表示手段）３と、
【００４２】
一括スイッチ３１がオンされた場合に、自動モードであるすべての機器１００の操作スイッチ２を引保持モードに切り替える一括切替部（一括切替手段）５、
として機能させる発電所設備の操作プログラム。
【符号の説明】
【００４３】
１        発電所設備の操作装置
２        操作スイッチ（モード切替手段）
３        表示部（表示手段）
３１      一括スイッチ
４        入力部
５        一括切替部（一括切替手段）
６        制御部
７        中央処理部
１００    機器（補機）
【図１】
2016100939.tif 000003
【図２】
2016100939.tif 000004
【図３】
2016100939.tif 000005
【図４】
2016100939.tif 000006
【図５】
2016100939.tif 000007
【図６】
2016100939.tif 000008
【図７】
2016100939.tif 000009